(57)【要約】【課題】より自由にデザインできるカラーコード及びカラーコード認識方法を提供する。【解決手段】カラーコード１０は、（ａ）予め定められた１色を有する第１のセル２０と、（ｂ）第１のセル２０との相対的な位置関係が予め定められた仮想円周１４上に配列され、予め定められた複数色の中から選択された１色を有する複数の第２のセル２１〜２８とを備える。少なくとも１つの第２のセル２１〜２８は、第１のセル２０とは面積及び形状の少なくとも一方が異なる【選択図】図１
2014157475.tif 000002
【特許請求の範囲】
【請求項１】
予め定められた１色を有する第１のセルと、
前記第１のセルとの相対的な位置関係が予め定められた仮想円周上に配列され、予め定められた複数色の中から選択された１色を有する複数の第２のセルと、
を備え、
少なくとも１つの前記第２のセルは、前記第１のセルとは面積及び形状の少なくとも一方が異なることを特徴とする、カラーコード。
【請求項２】
前記仮想円周は、前記第１のセルを取り囲むことを特徴とする、請求項１に記載のカラーコード。
【請求項３】
前記第２のセルの少なくとも一つは、前記第１のセルと同じ色を有し、かつ、前記第１のセルとは面積及び形状の少なくとも一方が異なることを特徴とする、請求項１又は２に記載のカラーコード。
【請求項４】
前記第１及び第２のセルの外形を取り囲み、前記第１及び第２のセルの色とは異なる色を有する輪郭要素をさらに備えていることを特徴とする、請求項１乃至３のいずれか一つに記載のカラーコード。
【請求項５】
予め定められた色を有する第１のセルを認識する第１のステップと、
前記第１のセルとの相対的な位置関係が予め定められた仮想円周を想定する第２のステップと、
想定した前記仮想円周上に配列された第２のセルの色の並びを認識する第３のステップと、
を備えていることを特徴とする、カラーコード認識方法。
【請求項６】
前記第１のステップにおいて、前記第１のセルと、前記第１のセルと同じ色を有する第２のセルとについて、それぞれの位置と、面積及び形状の少なくとも一方とを認識し、
前記第２のステップにおいて、前記第１のステップで認識した前記第１のセル及前記第２のセルに基づいて、前記仮想円周を想定することを特徴とする、請求項５に記載のカラーコード認識方法。
【請求項７】
前記第１及び第３のステップにおいて、前記第１及び第２のセルの色とは異なる色で取り囲まれた連続領域を、前記第１及び第２のセルの領域として認識することを特徴とする、請求項５又は６に記載のカラーコード認識方法。
【請求項８】
管理対象領域の出入口付近の映像に基づいて前記出入口の通過を管理する入出管理システムにおいて、
請求項５乃至７のいずれか一つに記載のカラーコード認識方法を用いて、前記映像から前記第１及び第２のセルを認識することを特徴とする入出管理システム。
【請求項９】
請求項１乃至４のいずれか一つに記載のカラーコードを表示することを特徴とする、缶バッチ。
【請求項１０】
請求項１乃至４のいずれか一つに記載のカラーコードを表示することを特徴とする、アップリケ。
【請求項１１】
請求項１乃至４のいずれか一つに記載のカラーコードを表示することを特徴とする、シール。
【請求項１２】
請求項１乃至４のいずれか一つに記載のカラーコードを表示することを特徴とする、カード。
【請求項１３】
請求項１乃至４のいずれか一つに記載のカラーコードを表示することを特徴とする、Ｔシャツ。
【請求項１４】
請求項１乃至４のいずれか一つに記載のカラーコードを表示することを特徴とする、帽子。
【請求項１５】
ディスプレイを備え、
前記ディスプレイに、請求項１乃至４のいずれか一つに記載のカラーコードを表示することを特徴とする、電子機器。
【発明の詳細な説明】
【技術分野】
【０００１】
本発明は、カラーコード、カラーコード認識方法及び出入管理システムに関し、詳しくは、複数のセルが配列されたカラーコード、カラーコード認識方法及び該カラーコード認識方法を用いる入出管理システムに関する。
【背景技術】
【０００２】
従来、複数のセルが配列され、各セルが、複数の色の中から選択された色を有するように構成されたカラーコードが提案されている。
【０００３】
例えば図７の概略図に示すカラーコード２００は、背景領域２０１に、複数のセル２０２（２１０〜２１３，２２０〜２２７，２３０〜２３７，２４０〜２４７）がマトリクス状に配列されている（例えば、特許文献１参照）。
【先行技術文献】
【特許文献】
【０００４】
【特許文献１】特開２０１１−１３４０９３号公報
【発明の概要】
【発明が解決しようとする課題】
【０００５】
従来のカラーコードは、縦横２方向に一定間隔に同一形状のセルが規則的に配列され、各セルに所定の色が割り当てられている。従来のカラーコードは、デザインが制約されるため、無機質で無味乾燥とならざるをえない。
【０００６】
本発明は、かかる実情に鑑み、より自由にデザインできるカラーコード及びカラーコード認識方法を提供しようとするものである。
【課題を解決するための手段】
【０００７】
本発明は、上記課題を解決するために、以下のように構成したカラーコードを提供する。
【０００８】
カラーコードは、（ａ）予め定められた１色を有する第１のセルと、（ｂ）前記第１のセルとの相対的な位置関係が予め定められた仮想円周上に配列され、予め定められた複数色の中から選択された１色を有する複数の第２のセルとを備えている。少なくとも１つの前記第２のセルは、前記第１のセルとは面積及び形状の少なくとも一方が異なる。
【０００９】
上記構成によれば、仮想円周上に配列された第２のセルの色の並び順序を特定し、第２のセルの色の並び順序と予め対応付けられた情報を認識することができる。
【００１０】
例えば、予め定められた１色に基づいて第１のセルの候補を抽出し、第１のセルとの予め定められた相対的な位置関係に基づいて仮想円周を想定し、想定した仮想円周上に配列されている第２のセルの色を検出することにより、第２のセルの色の並び順序を特定できる。第１のセルの候補の中に第２のセルが含まれても、実際に第１のセルである候補によってカラーコードを正しく認識できる。第２のセルを誤って第１のセルとみなした場合には、仮想円周を正しく想定できないため、仮想円周上に配列される第２のセルの色を正しく検出できず、カラーコードを認識ができない。そのため、第２のセルの中に、第１のセルと同じ色を有するものが含まれても構わない。
【００１１】
上記構成のカラーコードは、従来のカラーコードに比べ、各セルの大きさや形状、配置に対する制約が少ないため、より自由にデザインできる。
【００１２】
第１のセルは、仮想円周の外側に配置されても、仮想円周に重なっても、仮想円周の内側には配置されても構わない。
【００１３】
好ましくは、前記仮想円周が前記第１のセルを取り囲む。
【００１４】
この場合、第１のセルの周りに第２のセルが配列される。カラーコードは、情報密度を高めて小型化できる。また、一つにまとまったデザインのカラーコードを提供できる。
【００１５】
好ましくは、前記第２のセルの少なくとも一つは、前記第１のセルと同じ色を有し、かつ、前記第１のセルとは面積及び形状の少なくとも一方が異なる
【００１６】
この場合、第１のセルと第２のセルとが同じ色であっても、互いに異なる面積及び／又は形状に基づいて両者を区別して正しく認識できるので、仮想円周を一義的に想定できる。
【００１７】
好ましくは、前記第１及び第２のセルの外形を取り囲み、前記第１及び第２のセルの色とは異なる色を有する輪郭要素をさらに備えている。
【００１８】
この場合、第１及び第２のセルは、輪郭要素で縁取りされているので、認識が容易になる。
【００１９】
本発明のカラーコードは、缶バッチ、アップリケ、シール、カード、Ｔシャツ、帽子、電子機器のディスプレーに、好適に表示することができる。
【００２０】
また、本発明は、以下のように構成したカラーコード認識方法を提供する。
【００２１】
カラーコード認識方法は、（ｉ）予め定められた色を有する第１のセルを認識する第１のステップと、（ii）前記第１のセルとの相対的な位置関係が予め定められた仮想円周を想定する第２のステップと、（iii）想定した前記仮想円周上に配列された第２のセルの色の並びを認識する第３のステップとを備えている。
【００２２】
上記方法によれば、カラーコードの各セルの大きさや形状、配置に対する制約が少ない。そのため、デザイン選択の余地が広い。比較的自由にカラーコードをデザインすることができ、例えば、面白みや味わい、親しみやすさ等があるカラーコードを提供できる。
【００２３】
好ましくは、前記第１のステップにおいて、前記第１のセルと、前記第１のセルと同じ色を有する第２のセルとについて、それぞれの位置と、面積及び形状の少なくとも一方とを認識する。前記第２のステップにおいて、前記第１のステップで認識した前記第１のセル及前記第２のセルに基づいて、前記仮想円周を想定する。
【００２４】
この場合、同じ色を有する第１のセルと第２のセルを区別して正しく認識できるので、仮想円周を一義的に想定できる。
【００２５】
好ましくは、前記第１及び第３のステップにおいて、前記第１及び第２のセルの色とは異なる色で取り囲まれた連続領域を、前記第１及び第２のセルの領域として認識する。
【００２６】
第１及び第２のセルが、第１及び第２のセルの色とは異なる色で縁取りされている場合には、第１及び第２のセルを容易に認識できる。
【００２７】
さらに、本発明は、以下のように構成した入出管理システムを提供する。
【００２８】
入出管理システムは、管理対象領域の出入口付近の映像に基づいて前記出入口の通過を管理する。上記のカラーコード認識方法を用いて、前記映像から前記第１及び第２のセルを認識する。
【発明の効果】
【００２９】
本発明によれば、カラーコードをより自由にデザインできる。
【図面の簡単な説明】
【００３０】
【図１】カラーコードの概略図である。（実施例１）
【図２】カラーコードの概略図である。（変形例１）
【図３】カラーコードの概略図である。（変形例２）
【図４】カラーコードの略図である。（実施例２）
【図５】カラーコードを利用した入出管理システムの概略図である。（実施例３）
【図６】カラーコードを利用した入出管理システムの概略図である。（実施例４）
【図７】カラーコードの概略図である。（従来例）
【発明を実施するための形態】
【００３１】
以下、本発明の実施の形態について、図１〜図６を参照しながら説明する。
【００３２】
＜実施例１＞  実施例１のカラーコード１０について、図１を参照しながら説明する。
【００３３】
図１は、カラーコード１０の概略図である。図１に示すように、カラーコード１０は、第１のセル２０と、第２のセル２１〜２８とを備えている。第１のセル２０は円形である。第２のセル２１〜２８は扇状の形状を有し、第１のセル２０の周りに等ピッチで一列に配置されている。第２のセル２１〜２８は、第１のセル２０のまわりに配置された仮想円周１４に重なっている。すなわち、第２のセル２１〜２８は、仮想円周１４上に配列されている。
【００３４】
カラーコード１０の各セル２０〜２９は、予め定められた黄色、緑色、青色、赤色の４色のうちのいずれか１色を有するように構成されている。図１の例では、第１のセル２０と１番目の第２のセル２１とは、制御カラーの黄色である。２番目と７番目の第２のセル２１，２７は、緑色である。３番目、５番目及び６番目の第２のセル２３，２５，２６は、青色である。４番目及び８番目の第２のセル２４，２８は、赤色である。
【００３５】
各セル２０〜２８は、背景１８との区別が容易になるように、各セル２０〜２８とは異なる色を有し、各セル２０〜２８の外形を取り囲む輪郭要素１２で縁取りされている。輪郭要素１２は、例えば黒色を有する。
【００３６】
カラーコード１０は、仮想円周１４上に配列された第２のセル２１〜２８の色の並び順序と、数字、文字、記号などの情報とが、予め対応付けられている。
【００３７】
図１の例では、第１のセル２０と１番目の第２のセル２１とに制御カラーを割り当て、２〜８番目の第２のセル２２〜２８に制御カラー以外の３色のいずれかを割り当てる場合には、３７＝２１８７通りの情報と対応付けることができる。第２のセルに割り当てる色の種類や第２のセルの個数は、カラーコードに対応付ける情報の量に応じて適宜に選択すればよい。
【００３８】
なお、第１のセルの制御カラー（第１の色）と、第２のセルの制御カラー（第２の色）とが同じ色である場合を例示しているが、第１の色と第２の色とが互いに異なる色であって構わない。また、一つの第２のセルのみが制御カラーを有する場合を例示しているが、複数の第２のセルが制御カラーを有しても構わない。
【００３９】
図１のように、制御カラーを有する第１のセル２０と第２のセル２１とは、それぞれの面積及び形状の少なくとも一方が異なるように構成すると、後述するように、制御カラーを有する第１のセル２０と第２のセル２１とを区別して仮想円周を一義的に想定できるので好ましい。
【００４０】
カラーコード１０は、カメラで撮影したカラー画像のデータを、パーソナルコンピュータや携帯情報端末などの情報処理装置で解析することによって、認識することができる。すなわち、カラーコード１０に対応付けられた情報を特定することができる。カメラ付きのパソコンや携帯情報端末などの情報処理装置を用いれば、それ自体で撮影したカラー画像のデータから、カラーコード１０に対応付けられた情報を特定することができる。
【００４１】
次に、カラーコード１０の認識方法について説明する。
【００４２】
（１）まず、制御カラーを有する第１及び第２のセルを認識して、仮想円周を想定する。すなわち、黄色の第１のセルと黄色の第２のセルとを認識して、黄色の第２のセルが配列された仮想円周を想定する。
【００４３】
具体的には、カメラから２次元カラー画像データを取得し、ノイズを除去し、画像の揺らぎによるＲＧＢ値の高低を吸収するなどの前処理を行った後、輪郭要素と同じ色である黒色で取り囲まれた連続領域を抽出する。抽出した各連続領域について、高さ（Ｙ座標の最大値と最小値の差）、幅（Ｘ座標の最大値と最小値の差）、総ドット数、中心座標（Ｘ，Ｙ座標の最大値と最小値の平均値）を取得する。また、各連続領域の色を認識し、予め定められた色（緑色、黄色、赤色、青色、その他）に対応する色コードを取得する。
【００４４】
次いで、制御カラー（黄色）を有する連続領域について、同一のカラーコードの第１及び第２のセルになり得る組み合わせを抽出する。
【００４５】
第１及び第２のセルの候補について、互いに隣接している組み合わせを抽出し、同一のカラーコードの第１及び第２のセルの組み合わせとして抽出する。例えば、第１及び第２のセルの中心座標の距離が、第１のセルの候補の高さと幅の和以上、かつ第２のセルの候補の高さと幅の和以下となる第１及び第２のセルの候補の組み合わせを抽出する。
【００４６】
抽出した第１及び第２のセルの候補の組み合わせについて、第１のセルの中心座標を中心とし、第２のセルの中心座標を通る円周を、仮想円周として想定する。
【００４７】
第１及び第２のセルは、面積又は形状の少なくとも一方が互いに異なることを利用して区別することができる。第１のセルは円形であるので、例えば、総ドット数が、高さ×幅の０・７倍以上の連続領域を第１のセルの候補とする。第２のセルは扇状の領域であるので、例えば、総ドット数が、高さ×幅の０・７倍未満の連続領域を第２のセルの候補とする。
【００４８】
（２）次いで、想定された仮想円周上に配列され、制御カラー（黄色）以外の色を有する第２のセルの色の並びを認識する。
【００４９】
具体的には、想定した仮想円周上を、制御カラーを有する第２のセルを開始点として所定方向（例えば、時計回り）に一周して、仮想円周に重なる連続領域を抽出する。抽出された各連続領域の色コードを所定順に、例えば開始点から順に並べて、コードデータとする。このコードデータをデジットチェックし、正しいものであれば、カラーコードに対応付けられた情報として認識する。
【００５０】
上記のように輪郭要素で縁取りされていることを利用すると、セルの認識が容易になる。
【００５１】
もっとも、輪郭要素がなくても、カラーコードの認識は可能である。例えば、カラー画像データ中から、制御カラーを有する一定以上の面積（ドット数）の領域を抽出して、同一のカラーコードの第１及び第２のセルの組み合わせを抽出する。そして、同様に、仮想円周を想定し、仮想円周に沿って第２のセルの色を検出することに、カラーコードを認識することができる。
【００５２】
また、第１のセルのみが制御カラーを有し、すべての第２のセルが制御カラー以外の色を有する構成とすることも可能である。この場合、制御カラーに基づいて第１のセルを抽出し、次いで第１のセルを取り囲む仮想円周を想定して、第２のセルの色を検出することができる。仮想円周は、例えば、第１のセルの中心座標を中心とし、第１のセルの外径に対して所定倍率（例えば２倍）の半径を有するものを想定する。
【００５３】
図１では、仮想円周１４が正円の円周である場合を例示しているが、仮想円周は、第１のセル２０を取り囲む形状であればよく、正円に限らず、楕円などであっても構わない。また、仮想円周１４の中心が第１のセル２０の中心座標と一致する場合を例示しているが、これに限るものではない。仮想円周の中心は、第１のセル内（例えば、第１のセルの重心）に配置されても、第１のセルの外側に配置されても構わない。
【００５４】
カラーコードの各セルは、以下の変形例１及び変形例２のように、比較的自由に大きさや形状、配置を選択することができる。
【００５５】
＜変形例１＞  図２は、変形例１のカラーコード１０ａの概略図である。図２に示すように、第２のセル２１ａ〜２８ａの形状は略楕円であり、第１のセル２０ａを中心として放射状に配置されている。変形例１のカラーコード１０ａは、具体的な物の形状、例えば花の形状を連想させるようにデザインできる。
【００５６】
＜変形例２＞  図３は、変形例２のカラーコード１０ｂの概略である。図３に示すように、カラーコード１０ｂは、第２のセル２１ｂ〜２８ｂの形状や大きさ、配列ピッチが均等ではない。２番目と８番目の第２のセル２２ｂ，２８ｂが最も大きい。第２のセル２１ｂ〜２８ｂは、左右対称に配置されている。カラーコード１０ｂは、具体的な物の形状、例えば顔の形状を連想させるようにデザインできる。
【００５７】
＜実施例２＞  図４は、実施例２のカラーコード１０ｓの構成を概念的に示す略図である。図４に示すように、カラーコード１０ｓは、第１のセル２０ｓと、仮想円周１４ｓ上に配列された第２のセル２１ｓ〜２５ｓとを備えている。第１のセル２０ｓは、予め定められた１色を有する。第２のセル２１ｓ〜２５ｓは、予め定められた複数色の中から選択された１色を有している。
【００５８】
図４に示すように、第１のセル２０ｓは予め定められた形状を有しており、二等辺三角形である。仮想円周１４ｓは、楕円形である。仮想円周１４ｓは、第１のセル２０ｓの頂点２０ｘを通る。仮想円周１４ｓの短軸は、第１のセル２０ｓの頂点２０ｘと底辺の中点２０ｙとを通る直線２０ｋに上に配置されている。仮想円周１４ｓの長軸及び短軸の長さは、第１のセル２０ｓの高さ（第１のセル２０ｓの頂点２０ｘと底辺の中点２０ｙとの距離）に対して予め決められた一定の倍率となっている。
【００５９】
第１のセル２０ｓと仮想円周１４ｓとは、予め定められた相対的な位置関係を有しているので、第１のセル２０ｓを認識すると仮想円周１４ｓを決めることができる。
【００６０】
なお、第１のセルと仮想円周との予め定められた相対的な位置関係は、これに限るものではない。仮想円周の形状は、正円であっても構わない。
【００６１】
カラーコード１０ｓは、カメラで撮影したカラー画像データを、パソコンや携帯端末などにインストールされたソフトウエアを用いて次の手順で処理することによって、認識できる。
【００６２】
まず、カラー画像データの中から、第１のセルと同じ色を有し、一定以上の面積（ドット数）を有する領域を、第１のセルとして抽出する。
【００６３】
次いで、抽出した第１のセルに基づいて、仮想円周を想定する。
【００６４】
次いで、例えば第１のセルの頂点１４ｘを起点に、仮想円周１４ｓに沿って、例えば時計周りに、仮想円周１４ｓ及びその近傍の色を探索し、一定以上の面積を有する同一色の領域を第２のセルとして抽出する。第２のセルとして抽出した領域の色を認識して、仮想円周上に配列された第２のセルの色の並び順序を特定する。
【００６５】
すべての第２のセルが、第１のセルとは異なる色を有する場合には、第１のセルを簡単に認識できるので、好ましい。
【００６６】
もっとも、第２のセルの中に、第１のセルと同じ色を有するものが含まれていても、形状、面積、配置などによって第１のセルか第２のセルかを区別して正しく識別できれば、仮想円周を一義的に想定できる。
【００６７】
さらに言えば、第２のセルを誤って第１のセルとみなした場合には、仮想円周を正しく想定できないため、仮想円周上に配列される第２のセルの色を正しく検出できず、カラーコードを認識ができない。そのため、第２のセルの中に、第１のセルと同じ色を有するものが含まれても構わない。
【００６８】
＜実施例３＞  カラーコードを利用した実施例３の入出管理システムについて、図５を参照しながら説明する。
【００６９】
図５は、実施例３の入出管理システムの構成を示す概略図である。図５に示すように、部屋や施設などの管理対象領域５０の出入口に電子ロックドア５６を設け、付近の壁５４に無線カメラ６０，６２を設ける。無線カメラ６０，６２は、電子ロックドア５６付近の映像データを、アクセスポイント７０に無線送信する。
【００７０】
実施例３の入出管理システムは、実施例１、２のようにカラーコードを認識するカラーコード認識方法を用いて、出入口付近の映像からカラーコードの第１及び第２のセルを認識し、出入口の通過を管理する。すなわち、管理ＰＣ６４は、無線カメラ６０，６２で撮影した映像に含まれているカラーコードを抽出して認証を行い、電子ロックドア５６の開閉を制御する。このとき、顔認証を併用してもよい。また、管理ＰＣ６４は、入退室（入退場）の情報等を、情報管理サーバ６８に送る。情報管理サーバ６８は、その情報を蓄積する。情報管理サーバ６８に蓄積された情報は、情報閲覧ＰＣ６６から閲覧して利用することができる。管理ＰＣ６４や情報閲覧ＰＣ６６には、デスクトップパソコン、ノートパソコン、タブレットパソコン、スマートフォンなどを用いることができる。
【００７１】
例えば、管理ＰＣ６４は、カラーコードの図柄がプリントされたり刺繍されたＴシャツ、制服、帽子、バッチ等を入室者（入場者）が着用している映像や、カード、名札、証明書等に表示されたカラーコードや、電子機器（携帯電話、スマートフォン、携帯型音楽プレーヤー、携帯型ゲーム機等）のディスプレーに表示されたカラーコードを入室者（入場者）が提示する映像を無線カメラ６０，６２から取得すると、取得した映像に含まれるカラーコードに基づいて認証を行う。認証ＯＫであれば、電子ロックドア５６に解除信号を送り、同時に、情報管理サーバ６８に入退室（入退場）者の情報を送る。
【００７２】
管理ＰＣ６４及び情報閲覧ＰＣ６６は、管理対象領域５０内の事務室等の管理本部５２に配置され、アクセスポイント７０と無線又は有線で接続されている。情報管理サーバ６８は、管理対象領域５０外に配置され、ルータ７２を介して管理ＰＣ６４や情報閲覧ＰＣ６６と接続される。管理本部５２を管理対象領域５０外に配置したり、管理本部５２内に情報管理サーバ６８を配置したりしてもよい。
【００７３】
＜実施例４＞  カラーコードを利用する実施例４の入出管理システムについて、図６を参照しながら説明する。
【００７４】
実施例４の入出管理システムは、実施例３の入出管理システムと略同様に構成されている。以下では、同じ構成部分には同じ符号を用い、実施例３との相違点を中心に説明する。
【００７５】
図６は、実施例４の入出管理システムの構成を示す概略図である。図６に示すように、電子ロックドア５６付近の壁５４に、ＯＳ搭載無線カメラ６０ａ，６２ａを設ける。ＯＳ搭載無線カメラ６０ａ，６２ａは、カメラ付きのパソコンや多機能携帯電話器などと同様に、カメラとＣＰＵ・メモリ等とを含む一つの機器であり、ＯＳ（基本ソフト）が搭載されている。ＯＳ搭載無線カメラ６０ａ，６２ａは、所定のアプリケーションソフト（応用ソフト）に従って、実施例３の管理ＰＣ６４と同様に動作する。例えば、ＯＳ搭載無線カメラ６０ａ，６２ａは、撮影した映像に基づいて認証を行い、電子ロックドア５６の開閉を制御し、情報管理サーバ６８への情報蓄積を行う。
【００７６】
実施例４の入出管理システムは、実施例３のような管理ＰＣ６４を必要としないため、構成が簡単になる。
【００７７】
＜実施例５＞  名札や名前シール等の代わりに、カラーコードを利用する。
【００７８】
例えば、幼稚園児や小学生の名札の代わりに、カラーコードを表示する缶バッチを用いる。服装や帽子、カバンや水筒などの持ち物に、カラーコードの図柄をプリントしたり刺繍したり、カラーコードの図柄のアップリケを貼り付けたり、カラーコードが印刷されたシールを貼り付けたりする。
【００７９】
カラーコードが表示された物について、幼稚園児や小学生の所有者やその親やクラスメート等の関係者は、カラーコードのセルの色の種類及びセルの色の配列に基づいて、自己の所有物であるか否かが容易に分かる。一方、第三者は、カラーコードからは、所有者の名前を読み取ることができない。名前の代わりにカラーコードを表示すると、第三者に名前が知られないため、第三者に名前が悪用されることがない。
【００８０】
＜実施例６＞  ２以上のカラーコードを組み合わせて利用する。
【００８１】
例えば、学年及びクラスに対応する第１のカラーコードと、名前に対応する第２のカラーコードとが表示された入出管理システム用のカードを用いたり、第１及び第２のカラーコードが印刷されたシールを、教材や筆記具等の持ち物に貼り付けたりする。
【００８２】
この場合、カラーコードの認識精度を変えることなく、容易に情報量を増やすことができる。すなわち、第２のセルの数を増やして情報量を増やすと、第２のセルが小さくなるため、カラーコードの認識精度を変える必要がある。一方、カラーコードの数を増やす場合には、カラーコードの認識精度を変えずに、情報量を増やすことができる。
【００８３】
＜実施例５＞  カラーコードの位置情報を利用する。
【００８４】
例えば、帽子に付されたカラーコード全体が上方から見えるように、帽子の中央部に第１のセルを配置し、第１のセルの周囲に第２のセルを配置する。室内や廊下の天井などにカメラを配置する。カメラで撮影された帽子のカラーコードから、対応する識別コードと帽子の着用者の位置とを認識し、帽子の着用者の行動を記録したり分析したりする。例えば、行動の有無や行動範囲を監視したり、着用者間の距離に基づいて親密度を分析したりする。
【００８５】
＜まとめ＞  以上に説明したように、本発明のカラーコードは、形状や大きさ、配置についての制約が緩いため、デザイン選択の余地が広く、より自由にデザインできる。そのため、面白みや味わい、親しみやすさ等を感じることができるカラーコードを提供できる。
【００８６】
本発明のカラーコードは、市販のプリンターで印刷したり、刺繍したりすることによって、簡易に、かつ安価に表示することができる。また、本発明のカラーコード同士は、色の種類と色の配列によって、見れば容易に区別できる。本発明のカラーコードを利用するシステムは、一般の機器を用いて安価に構成することができ、バーコードリーダーのようなシステム固有の装置を準備する必要がない。
【００８７】
なお、本発明は、上記実施の形態に限定されるものではなく、種々変更を加えて実施することが可能である。
【００８８】
例えば、カラーコードのセルの一部又は全部が無彩色であっても構わない。
【符号の説明】
【００８９】
１０，１０ａ，１０ｂ，１０ｓ  カラーコード
１２  輪郭要素
１４  仮想円周
１８  背景
２０，２０ａ，２０ｂ，２０ｓ  第１のセル
２１〜２８，２１ａ〜２８ａ，２１ｂ〜２８ｂ，２１ｓ〜２５ｓ  第２のセル
５０  管理対象領域
５２  管理本部
５４  壁
５６  電子ロックドア
６０，６２  無線カメラ
６０ａ，６２ａ  ＯＳ搭載無線カメラ
６４  管理ＰＣ
６６  情報閲覧ＰＣ
６８  情報管理サーバ
７０  アクセスポイント
７２  ルータ
【図１】
2014157475.tif 000003
【図２】
2014157475.tif 000004
【図３】
2014157475.tif 000005
【図４】
2014157475.tif 000006
【図５】
2014157475.tif 000007
【図６】
2014157475.tif 000008
【図７】
2014157475.tif 000009